(57)【要約】【課題】夜間等の照度が低い状況においても、点滴スタンドの所在と全体的な大きさを把握できるようにして、良好な使い勝手を確保することのできる点滴スタンドを提供する。【解決手段】支柱部３を保持する脚部ブロック２の外縁部の少なくとも一部に、蓄光素材を含む樹脂材料から成る蓄光片４０を設ける。蓄光片４０の発光によって照度の低い状況でも点滴スタンド１を把握できるようにする。【選択図】図２
2014233359.tif 000002
【特許請求の範囲】
【請求項１】
上下方向に沿って延出する支柱部に輸液パックが吊り下げ支持される輸液吊り下げ部が設けられ、前記支柱部が、床面上に載置される脚部に保持されている点滴スタンドであって、
前記脚部の外縁部の少なくとも一部に、蓄光性材料から成る蓄光部が設けられていることを特徴とする点滴スタンド。
【請求項２】
前記脚部は、前記支柱部の軸心を中心として略放射方向に延出する複数の延出部を備え、
前記蓄光部は、前記外縁部を構成する前記延出部の先端部領域に設けられていることを特徴とする請求項１に記載の点滴スタンド。
【請求項３】
前記蓄光部は、蓄光素材を含む樹脂材料によってブロック状に形成され、前記脚部の外縁部に固定手段を介して取り付けられていることを特徴とする請求項１または２に記載の点滴スタンド。
【請求項４】
前記脚部の外縁部には、床面上を転動するキャスタが締結固定され、前記蓄光部は、前記キャスタとともに前記脚部の外縁部に締結固定されていることを特徴とする請求項３に記載の点滴スタンド。
【請求項５】
前記蓄光部は、蓄光素材を含み、かつ弾性を有する樹脂材料によって形成されていることを特徴とする請求項１〜４のいずれか１項に記載の点滴スタンド。
【発明の詳細な説明】
【技術分野】
【０００１】
この発明は、病院、介護施設、自宅等において患者に点滴を行う際等に用いられる点滴スタンドに関するものである。
【背景技術】
【０００２】
病院や介護施設、自宅等において、患者に対する治療活動として点滴を打つケースが多く見られる。点滴は、輸液パックを患者よりも高い位置に配置し、重力を利用して輸液パック内の輸液を患者の体内に送るという仕組みであるため、輸液パックを患者の上方に支持しておく点滴スタンドを用いるのが一般的である。
【０００３】
こうした点滴スタンドの基本構成としては、床面上に載置される脚部に、上下方向に沿って延出する支柱部が取り付けられ、その支柱部の上端部に輸液吊り下げ具が取り付けられているのが一般的である（例えば、特許文献１〜３参照）。
特許文献１〜３に記載の点滴スタンドは、輸液吊り下げ具が、支柱部の上端から略水平方向に延出する一対のアーム部と、各アーム部の先端部に設けられて輸液パックを直接吊り下げるためのフック部と、を備えた構成とされている。また、これらの点滴スタンドは、いずれも患者や看護師等が必要に応じてスタンドを自由に移動できるように脚部にキャスタが設けられている。
【先行技術文献】
【特許文献】
【０００４】
【特許文献１】特開２０１２−０１０７１８号公報
【特許文献２】特開２０１３−０１７６５３号公報
【特許文献３】特許第３４６６１８０号公報
【発明の概要】
【発明が解決しようとする課題】
【０００５】
点滴スタンドは、患者によっては夜間にも使用する場合もあり、消灯後においても患者のベッドサイドに設置される状態となることも多くある。
しかしながら、消灯状態においては、病室という不慣れな環境も手伝って、患者が点滴スタンドの所在と全体的な大きさを把握しにくい状況がしばしば見受けられる。
【０００６】
そこでこの発明は、夜間等の照度が低い状況においても、点滴スタンドの所在と全体的な大きさを把握できるようにして、良好な使い勝手を確保することのできる点滴スタンドを提供しようとするものである。
【課題を解決するための手段】
【０００７】
この発明では、上記課題を解決するために以下の構成を採用した。
この発明に係る点滴スタンドは、上下方向に沿って延出する支柱部に輸液パックが吊り下げ支持される輸液吊り下げ部が設けられ、前記支柱部が、床面上に載置される脚部に保持されている点滴スタンドであって、前記脚部の外縁部の少なくとも一部に、蓄光性材料から成る蓄光部が設けられていることを特徴とするものである。
これにより、夜間等の照度が低い状況においても、脚部の外縁部の少なくとも一部に設けられた蓄光部が発光し、患者等が脚部の外形を容易に把握することが可能になる。また、蓄光部は、脚部に設けられているため、ベッドに横たわった患者の目には付きにくいが、起立状態の患者の目には付き易い状態することができる。
【０００８】
前記脚部は、前記支柱部の軸心を中心として略放射方向に延出する複数の延出部を備え、前記蓄光部は、前記外縁部を構成する前記延出部の先端部領域に設けられていることが好ましい。この場合、脚部の、延出部の先端部領域が蓄光部で光るため、照度が低い状況においても、点滴スタンドの全体的な大きさを容易に把握することが可能になる。
【０００９】
前記蓄光部は、蓄光素材を含む樹脂材料によってブロック状に形成され、前記脚部の外縁部に固定手段を介して取り付けられるようにしても良い。この場合、蓄光部を脚部の外縁部に容易、かつ確実に設置することが可能になる。
【００１０】
前記脚部の外縁部には、床面上を転動するキャスタが締結固定され、前記蓄光部は、前記キャスタとともに前記脚部の外縁部に締結固定されるようにすることが好ましい。この場合、既存のキャスタを利用して、蓄光部を脚部の外縁部に容易、かつ確実に設置することが可能になる。
【００１１】
前記蓄光部は、蓄光素材を含み、かつ弾性を有する樹脂材料によって形成されていることが望ましい。この場合、蓄光部により、脚部の外縁部の少なくとも一部に発光機能と衝撃緩衝機能を持たせることが可能になる。
【発明の効果】
【００１２】
この発明によれば、脚部の外縁部の少なくとも一部に、蓄光性材料から成る蓄光部が設けられることから、夜間等の照度が低い状況においても、蓄光部によって点滴スタンドの所在と全体的な大きさを把握でき、良好な使い勝手を確保することができる。また、この発明においては、蓄光部が蓄光性材料によって発光し、エネルギーを必要としないため、環境的負荷を無くすことができるとともに、停電時にも有効に機能させることができる。
【図面の簡単な説明】
【００１３】
【図１】この発明の第１の実施形態の点滴スタンドの斜視図である。
【図２】この発明の第１の実施形態の点滴スタンドの斜視図である。
【図３】この発明の第１の実施形態の点滴スタンドの脚部ブロックの一部の分解斜視図である。
【図４】この発明の第２の実施形態の点滴スタンドの一部の斜視図である。
【図５】この発明の第２の実施形態の点滴スタンドの一部の斜視図である。
【発明を実施するための形態】
【００１４】
以下、この発明の実施形態を図面に基づいて説明する。
最初に、図１〜図３に示す第１の実施形態について説明する。
図１，図２は、この実施形態に係る点滴スタンド１の外観を示す斜視図である。
点滴スタンド１は、病院や介護施設、自宅等の床面上に載置される脚部ブロック２（脚部）と、脚部ブロック２に支持されて上下方向に沿って延出する支柱部３と、支柱部３の上端部に取り付けられ、輸液パックＰを吊り下げ支持する輸液吊り下げ具４と、を備えている。
【００１５】
脚部ブロック２は、支柱部３の下端を保持するボス部１０の外周側に５本の脚フレーム１１が放射状に延設され、各脚フレーム１１の延出端にキャスタ１２が取り付けられている。したがって、この実施形態の脚部ブロック２は、キャスタ１２を介して床面上を移動可能にされている。なお、この実施形態の場合、実際にはボス部１０や脚フレーム１１の上方側が樹脂製のカバー部材１３によって覆われているが、図１，図２においては、図示都合上、カバー部材１３上のボス部１０や脚フレーム１１に対応する箇所に符号１０，１１を付している。
【００１６】
この実施形態の場合、支柱部３は、下端が脚部ブロック２に取り付けられる中空状のアウタ支柱３Ａと、上端に輸液吊り下げ具４が取り付けられる中空状のインナ支柱３Ｂと、を備え、インナ支柱３Ｂの下部領域がアウタ支柱３Ａの上部に摺動自在に嵌入されている。支柱部３の内部には、アウタ支柱３Ａとインナ支柱３Ｂの相対位置を固定するための図示しないロック機構が装備され、そのロック機構を解除することにより、アウタ支柱３Ａとインナ支柱３Ｂの相対位置（支柱部３の伸縮長さ）を適宜調整できるようになっている。
【００１７】
インナ支柱３Ｂの上下方向の略中間部には、前記ロック機構を解除操作するための解除操作スリーブ１４が設置されている。この解除操作スリーブ１４は、インナ支柱３Ｂの内部においてロック機構のロック解除片に接続され、看護師等の操作者によって上方にスライド操作されたときにロック機構を解除し、下方に戻し操作されたときにロック機構を再度ロック状態に維持するようになっている。
【００１８】
また、この実施形態では、アウタ支柱３Ａには、荷掛けフックアタッチメント１５と、ハンドルアタッチメント１６が昇降調整可能に取り付けられている。
荷掛けフックアタッチメント１５は、アウタ支柱３Ａの外周面に対して締結固定可能なボス部１７と、ボス部１７から相反方向に延出する一対のフック部１８，１８と、を備え、各フック部１８にウロバッグや手荷物１９等を適宜吊り下げ支持できるようになっている。
【００１９】
ハンドルアタッチメント１６は、円環状のハンドル本体２０と、ハンドル本体２０の下方に所定距離離間して配置される円板状のトレー２１と、トレー２１とハンドル本体２０を連結する一対の連結支柱２２，２２と、アウタ支柱３Ａの外周面に対して締結固定可能なボス部２４と、を備えている。トレー２１には、その中心部からオフセットした位置に、上下に貫通する挿通孔２３が設けられ、その挿通孔２３にアウタ支柱３Ａが挿通されるようになっている。また、ボス部２４は、トレー２１の下面の挿通孔２３と同軸となる位置に設けられている。この実施形態の場合、トレー２１は、ハンドル本体２０の内周面よりも一回り小さい円形形状に形成され、ハンドル本体２０に対して同心となるように配置されている。トレー２１とハンドル本体２０を連結する連結支柱２２は、トレー２１の外周側の上面とハンドル本体２０の内周側の下面を連結するように傾斜して配置されている。ハンドル本体２０とトレー２１の間には、連結支柱２２を介して、操作者がハンドル本体２０を把持するに充分な把持空間部２５が確保されている。
【００２０】
このハンドルアタッチメント１６は、ハンドル本体２０が、連結支柱２２とトレー２１とボス部２４を介してアウタ支柱３Ａの外周面に結合されている。このため、ハンドル本体２０を把持した操作者は、脚部ブロック２のキャスタ１２がロックされていなければ、点滴スタンド１を自由な方向に移動させることができる。
また、ハンドルアタッチメント１６のトレー２１上にはカップ等の物品２６を載置できるようになっている。ハンドル本体２０は、トレー２１との間に把持空間部２５が確保されているものの、トレー２１の上面からの高さが、カップ等の患者が日常一般に使用する物品２６の高さよりも低く設定され、トレー２１上に載置された物品２６の落下を規制するガイド壁としても機能するようになっている。そして、この実施形態の場合、アウタ支柱３Ａが挿通されるトレー２１上の挿通孔２３がトレー２１の中心からオフセットした位置に配置されているため、トレー２１上には、アウタ支柱３Ａと干渉することのない充分な物品配置スペースが確保されている。
【００２１】
輸液吊り下げ具４は、支柱部３のインナ支柱３Ｂの上端部に締結固定されるボス部２７と、支柱部３の軸心ｏ回りを取り囲むように上下方向に沿って立設された略方形筒状の周壁２８と、ボス部２７と周壁２８を連結する連結支柱２９と、周壁２８の下端寄りの外側面から外側（支柱部３の軸心ｏの位置される側と逆側）に突出する４つの吊り下げ支持片３０…と、を備えている。
【００２２】
周壁２８は、左右方向の両側の縁部が円弧状に丸みをおびた４つの支持壁３１…が方形状に配置され、隣接する支持壁３１，３１同士が相互に連結された形状とされている。この実施形態の場合、周壁２８全体が硬質の樹脂材料によって方形筒状に一体に形成されている。各支持壁３１の外面３１ａ（支柱部３の軸心ｏの位置される側と逆側の面）は幅方向の中央領域を中心としてほぼ平坦に形成されている。
【００２３】
連結支柱２９は、各支持壁３１の下縁の幅方向の中央位置とボス部２７の外面とを連結するように計４つ設けられている。吊り下げ支持片３０は、金属製の板材によって断面略Ｌ字状に形成され、Ｌ字の一辺を成す部分が対応する支持壁３１の下縁の幅方向の中央位置に取り付けられるとともに、Ｌ字の他辺を成す部分が上方に向かって延出している。吊り下げ支持片３０のＬ字の一辺を成す部分は、その一部を残して先端部領域が対応する支持壁３１と連結支柱２９に挿し込まれ、その状態で対応する連結支柱２９に固定されている。各吊り下げ支持片３０には、図１に示すように、輸液パックＰの吊り下げ孔７が係合可能とされている。なお、図１中の符号８ａは、吊り下げ孔７が形成されている輸液パックＰの上シール部であり、符号９は、図示しない点滴チューブが接続される輸液パックＰの注出筒である。
【００２４】
ところで、この実施形態の点滴スタンド１においては、前述した脚部ブロック２の各脚フレーム１１の延出端に、蓄光した光を照射し得る蓄光片４０（蓄光部）が取り付けられている。この蓄光片４０は、硫化亜鉛（ＺｎＳ系）やアルミン酸ストロンチウム（ＳｒＡｌ２Ｏ４系）等の蓄光素材を含む弾性を有する樹脂材料によってブロック状に形成されている。
【００２５】
図３は、脚フレーム１１の延出端側の構造を示す分解斜視図である。
同図に示すように、各脚フレーム１１の延出端に取り付けられる蓄光片４０は、脚フレーム１１の延出端の円弧状に湾曲した外側端面を覆う周壁部４０ａと、周壁部４０ａの底部を閉塞し脚フレーム１１の延出端の下面に重ねられる底壁部４０ｂと、を備えている。蓄光片４０の底壁部４０ｂには、キャスタ１２の上部に突設される雄ねじ部１２ａが挿通される挿通孔４１が設けられている。キャスタ１２の雄ねじ部１２ａは、対応する脚フレーム１１の延出端の下面に設けられたナット４２に螺合されるようになっている。
【００２６】
蓄光片４０は、周壁部４０ａを対応する脚フレーム１１の延出端の外側端面に被着し、底壁部４０ｂを対応する脚フレーム１１の下面に重ねた状態で、キャスタ１２とともに脚フレーム１１の延出端に共締め固定される。つまり、蓄光片４０の挿通孔４１を貫通したキャスタ１２の雄ねじ部１２ａが対応する脚フレーム１１のナット４２に締め込まれることにより、蓄光片４０が対応する脚フレーム１１の延出端に固定される。
こうして、対応する脚フレーム１１の延出端に取り付けられた蓄光片４０は、周壁部４０ａがカバー部材１３の外側に露出するようになっている。周壁部４０ａは、カバー部材１３の延出端位置において、カバー部材１３の先端部領域の外側に突出している。
【００２７】
以上のようにこの実施形態に係る点滴スタンド１は、脚部ブロック２の各脚フレーム１１の延出端に蓄光片４０が取り付けられ、蓄光片４０の周壁部４０ａが各脚フレーム１１の延出端位置においてカバー部材１３の外側に露出するようになっているため、夜間等の照度が低い状況であっても、各脚フレーム１１の延出端の蓄光片４０の発光を外部から容易に、かつ確実に視認することができる。このため、夜間等の照度が低い状況においても、患者は点滴スタンド１の全体的な大きさを容易に把握することができる。
【００２８】
特に、この点滴スタンド１においては、ベッドに横たわった患者の目には付きにくく、起立状態の患者の目には付き易い脚部ブロック２部分に蓄光片４０が設けられているため、発光する蓄光片４０がベッドに横たわった患者の目障りになることがなく、しかも、患者が起立して実際に点滴スタンド１を使用しようとする状況では、照度の低い条件下であっても、蓄光片４０の発光を頼りに点滴スタンド１の全体的な位置を容易に把握することができる。
また、この点滴スタンド１の場合、蓄光片４０が蓄光性材料によって発光し、外部のエネルギーを必要としないため、環境的負荷を無くすことができるとともに、停電時であって患者による視認のために有効に機能する。
【００２９】
また、この実施形態の点滴スタンド１においては、蓄光片４０が蓄光素材を含む樹脂材料によってブロック状に形成され、その蓄光片４０が対応する脚フレーム１１の延出端に締結固定されるようになっているため、蓄光部を脚部ブロック２の外縁部に容易に、かつ確実に設置することができる。
特に、この実施形態の点滴ブロック１の場合、既存のキャスタ１２を利用して、キャスタ１２の雄ねじ部１２ａを蓄光片４０の挿通孔４１に挿通し、蓄光片４０を対応する脚フレーム１１の延出端に共締め固定するようにしているため、蓄光片４０を脚部ブロック２の脚フレーム１１の延出端に容易に、かつ確実に取り付けることできる。
【００３０】
さらに、この実施形態の点滴スタンド１においては、蓄光片４０が、蓄光素材を含み、かつ弾性を有する樹脂材料によって形成されていることから、脚部ブロック２の各脚フレーム１１の延出端に、発光機能ばかりでなく衝撃緩衝機能をも持たせることができる。したがって、脚部ブロック２が周囲の他の部材と接触する際の衝突衝撃を緩和できることから、点滴スタンド１としての利便性をより高めることができる。
【００３１】
図４，図５は、第２の実施形態の点滴スタンド１０１を示す斜視図である。
この実施形態の点滴スタンド１０１は、脚部ブロック１０２（脚部）に、第１の実施形態と同様に放射状に延出する５本の脚フレーム（図示せず）が設けられているが、これらの脚フレームの上方を覆うカバー部材１１３の形状が第１の実施形態のものと異なっている。即ち、第１の実施形態のカバー部材１３は、各脚フレームの延出部を個別に覆うように全体が星形状に形成されていたが、この第２の実施形態のカバー部材１１３は、上面視で、円板形状の外縁部の一部が円弧状に切り欠かれた形状（以下「異形円板形状」と呼ぶ。）とされている。
カバー部材１１３の外縁の円弧状の凹部１１３ａの曲率半径は、カバー部材１１３の円形部の外面１１３ｂの半径と略同一に設定されている。そして、カバー部材１１３は、５本の脚フレームの上面と外側領域とをほぼ完全に覆うようになっている。
【００３２】
この実施形態では、カバー部材１１３の円形部の外面１１３ｂと、凹部１１３ａの内周面とに、蓄光部１４０が帯状に連続して設けられている。この蓄光部１４０は、第１の実施形態と同様に、硫化亜鉛（ＺｎＳ系）やアルミン酸ストロンチウム（ＳｒＡｌ２Ｏ４系）等の蓄光素材を含む弾性を有する樹脂材料によってブロック状に形成したものを、カバー部材１１３の外面に一体に取り付けても、発光素材を塗布したシートをカバー部材１１３の外面に接着するようにしても良い。
【００３３】
この第２の実施形態の点滴スタンド１０１は、基本的に上述した第１の実施形態とほぼ同様の効果を得ることができるが、外面に蓄光部１４０が設けられたカバー部材１１３の形状が、外縁部に凹部１１３ａが設けられた異形円板形状に形成されていることから、図５に示すように複数の点滴スタンド１０１…を一箇所に集めて配置しておくときに、カバー部材１１３の凹部１１３ａを、他の点滴スタンド１０１のカバー部材１１３の円形部の外面１１３ｂに嵌合させることにより、複数の点滴スタンド１０１…を床面上に整然と配列させることができる。
【００３４】
なお、この発明は上記の実施形態に限定されるものではなく、その要旨を逸脱しない範囲で種々の設計変更が可能である。
【符号の説明】
【００３５】
１  点滴スタンド
２  脚部ブロック（脚部）
３  支柱部
４  輸液吊り下げ部
１１  脚フレーム（延出部）
１２  キャスタ
４０  蓄光片（蓄光部）
Ｐ  輸液パック
１０１  点滴スタンド
１４０  蓄光部
【図１】
2014233359.tif 000003
【図２】
2014233359.tif 000004
【図３】
2014233359.tif 000005
【図４】
2014233359.tif 000006
【図５】
2014233359.tif 000007